(57)【要約】【課題】外観品質の向上を図りうるグリルガーニッシュの取付構造を提供すること。【解決手段】車体前面に設けられるラジエータグリルに装着されるグリルガーニッシュの取付構造において、上記ラジエータグリル１に凸面４を形成し、該凸面４の車幅方向の側面に、該凸面４を貫通する開口穴２４を形成し、該開口穴２４にグリルガーニッシュ３を挿通支持させた構造。【選択図】　　　図２
2004058762.tif 000002
【特許請求の範囲】
【請求項１】
車体前面に設けられるラジエータグリルに装着されるグリルガーニッシュの取付構造において、上記ラジエータグリルに凸面を形成し、該凸面の車幅方向の側面に、該凸面を貫通する開口穴を形成し、該開口穴にグリルガーニッシュを挿通支持させたことを特徴とするグリルガーニッシュの取付構造。
【請求項２】
上記グリルガーニッシュを上記凸面の両側で二分割し、これらグリルガーニッシュを上記凸面の両側の開口穴にそれぞれ一端部を差し込んで上記ラジエータグリルに装着したことを特徴とする請求項１に記載のグリルガーニッシュの取付構造。
【請求項３】
上記凸面をエンブレム台座として、上記ラジエータグリルに一体成形したことを特徴とする請求項１または２に記載のグリルガーニッシュの取付構造。
【請求項４】
上記ラジエータグリルの凸面の開口穴の内側に、上記グリルガーニッシュの先端を係止するストッパー部を形成したことを特徴とする請求項２または３に記載のグリルガーニッシュの取付構造。
【請求項５】
上記グリルガーニッシュの差込部の角部を滑らかに湾曲させて形成したことを特徴とする請求項１ないし４のいずれか１項に記載のグリルガーニッシュの取付構造。
【請求項６】
上記グリルガーニッシュの係合爪を、上記ラジエータグリルの係合穴に組付けた状態で該係合爪が係合穴に入り、上記各グリルガーニッシュの一端部を上記凸面の開口穴に差し込んだ状態で該係合爪の位置が係合穴の中心位置よりラジエータグリルの凸面側に位置するように上記係合爪と係合穴を形成したことを特徴とする請求項２ないし５のいずれか１項に記載のグリルガーニッシュの取付構造。
【発明の詳細な説明】
【０００１】
【発明の属する技術分野】
本発明は、自動車の前面に取り付けられるラジエータグリルに装着されるグリルガーニッシュの取付構造に関する。
【０００２】
【従来の技術】
自動車の前面には、エンジンルーム内に配設されたラジエータあるいはコンデンサの冷却を行うため、外気を取り入れるグリルが設けられている。このグリルには、自動車メーカーの紋章、徽章などをデザインした、一般に、オーナメント、あるいはエンブレムと呼ばれる飾りが取り付けられることがある。
図８および図９はオーナメント１００を直接、グリル１０１に取り付けた従来技術（実開昭６１−１０８６６３号公報）で、グリル１０１の後面にリテーナ１０２を組付け、このリテーナ１０２に取付ネジ１０３を介してオーナメント１００を取り付けるようにしたものである。
オーナメント１００は裏面に取り付けボス１００ａが設けられており、この取付ボス１００ａに取付ネジ１０３をねじ止めすることでグリル１０１の桟１０１ａに固定されている。また、オーナメント１００の後端には、爪部１００ｂが設けられており、この爪部１００ｂをグリル１００の桟１０１ａの後端に引っ掛けてオーナメント１００のがたつきを防いでいる。関連する先行技術として実開昭６０−１６５２５２号公報、実開昭６１−３１４９号公報が知られている。
【０００３】
一方、図１０および図１１に示したものは、グリル１０４に、長尺のガーニッシュ１０５を取付け、このガーニッシュ１０５にエンブレム台座１０６を組付け、エンブレム台座１０６にエンブレムを取り付けるようにした先行技術である。この場合、ガーニッシュ１０５の両側裏面に設けられたボス部にグリル１０４の裏面側から取付ネジ１０７によりねじ止めしてグリル１０４に組み付けられている。ガーニッシュ１０５の中央部には、２箇所の穴１０８が設けられており、この穴１０８に取付ネジ１０７を通して、この取付ネジ１０７をエンブレム台座１０６の裏面に設けられたボス部にねじ止めして、エンブレム台座１０６を固定している。これに関連する先行技術として、特願２００１−１２８６８０、特願２００１−３０４８３３を先に出願した。
【０００４】
【発明が解決しようとする課題】
しかしながら、上記先行技術によると、ガーニッシュ１０５が横長で型が大きくなる。また、ガーニッシュ１０５の締め付け箇所が多く、作業性が悪い。さらに、エンブレム台座１０６が別部品であるため、エンブレム台座１０６とガーニッシュ１０５との隙間が見え、外観が悪くなっていた。
【０００５】
本発明は上記課題を解決し、外観品質の向上を図りうるグリルガーニッシュの取付構造を提供することを目的とする。
【０００６】
【課題を解決するための手段】
本発明は上記課題を解決するため、車体前面に設けられるラジエータグリルに装着されるグリルガーニッシュの取付構造において、上記ラジエータグリルに凸面を形成し、該凸面の車幅方向の側面に、該凸面を貫通する開口穴を形成し、該開口穴にグリルガーニッシュを挿通支持させたことにある。
また、本発明は、上記グリルガーニッシュを上記凸面の両側で二分割し、これらグリルガーニッシュを上記凸面の両側の開口穴にそれぞれ一端部を差し込んで上記ラジエータグリルに装着したことにある。
さらに、上記凸面をエンブレム台座として、上記ラジエータグリルに一体成形したことにある。
またさらに、上記ラジエータグリルの凸面の開口穴の内側に、上記グリルガーニッシュの先端を係止するストッパー部を形成したことにある。
また、上記グリルガーニッシュの差込部の角部を滑らかに湾曲させて形成したことにある。
さらに、本発明は、上記グリルガーニッシュの係合爪を、上記ラジエータグリルの係合穴に組付けた状態で該係合爪が係合穴に入り、上記各グリルガーニッシュの一端部を上記凸面の開口穴に差し込んだ状態で該係合爪の位置が係合穴の中心位置よりラジエータグリルの凸面側に位置するように上記係合爪と係合穴を形成したことにある。
【０００７】
【発明の実施の形態】
以下本発明の実施の形態を図面を参照しながら詳細に説明する。
図１ないし図７は、本発明のグリルガーニッシュの取付構造の一実施の形態を示したものである。
【０００８】
図１ないし図４は、車体前面に取り付けられる、樹脂成形によるラジエータグリル１を示したもので、このラジエータグリル１は、ラジエータグリル本体２と、グリルガーニッシュ３とで構成されている。ラジエータグリル本体２は、四角形の枠体２０の内部を縦横の多数のグリッド２１ａ，２１ｂで格子状に仕切ったもので、中心部を車幅方向に通る帯状部２２が設けられている。この帯状部２２の車幅方向の中央部には、凸面４としてエンブレム取付台座２３がラジエータグリル本体２に一体成形されている。エンブレム取付台座２３の車幅方向の側面２３ａには、エンブレム取付台座２３を貫通する開口穴２４が形成されている。
【０００９】
また、上記左右の帯状部２２の上端部および下端部には、車幅方向に長穴状の係合穴２２ａ、２２ｂが形成されている。係合穴２２ａは、車幅方向に所定間隔をあけて２箇所、係合穴２２ｂは１箇所に形成されている。これら係合穴２２ａ、２２ｂは、上部側の係合穴２２ａと下部側の係合穴２２ｂを、車幅方向に互いにずらして、いわゆる千鳥状に形成されている。上記係合穴２２ａ、２２ｂの数は、グリルガーニッシュ３の長さに応じて任意に設定することができる。また、上部側の係合穴２２ａと下部側の係合穴２２ｂの数は、下部側の係合穴２２ｂの数を多くしても良い。さらに、上記帯状部２２の車幅方向外側には、凹所２５が設けられ、この凹所２５の底面に車体前後方向の取付孔２６が形成されている。
【００１０】
上記グリルガーニッシュ３は、エンブレム取付台座２３の両側の帯状部２２に装着されるもので、左右のグリルガーニッシュ３１，３２はエンブレム取付台座２３側の端部差込部３１ａ，３２ａをエンブレム取付台座２３の側面２３ａに形成された開口穴２４に挿入して組付けられている。端部差込部３１ａ，３２ａには、図２に示すように、挿入を容易にするため端部差込部３１ａ，３２ａの角部３１ｂ、３２ｂを滑らかに湾曲させて角部３１ｂ、３２ｂをＲ形状に形成している。一方、開口穴２４の端部２３ｂには、内面側に凸面２３ｃを形成して、角部３１ｂ、３２ｂの挿入をスムーズにしている。
また、ラジエータグリル本体２に凸面４として設けられたエンブレム取付台座２３の開口穴２４の内側には、グリルガーニッシュ３１，３２の挿入方向に対向するストッパー部（ボスピン）２３ｄが設けられている。これによって、開口穴２４にグリルガーニッシュ３１，３２を斜めに挿入しても奥まで入りすぎるのを防止し、組付け時のキズ、塗装はがれ等がおきないようにしている。
【００１１】
グリルガーニッシュ３１，３２は、図５（ａ）、（ｂ）に示すように、それぞれ裏面側上端部に、上記係合穴２２ａに対応する位置に係合爪３１ｃ，３２ｃが設けられ、かつ裏面側下端部に、上記係合穴２２ｂに対応する位置に係合爪３１ｄ，３２ｄが設けられている。グリルガーニッシュ３１，３２は、係合爪３１ｃ，３２ｃを係合穴２２ａに、係合爪３１ｄ，３２ｄを係合穴２２ｂに係合して組付けられている。係合爪３１ｃ，３２ｃ、および係合爪３１ｄ，３２ｄの数は、上記係合穴２２ａ、２２ｂの数に合わせて設定すれば良い。
【００１２】
また、グリルガーニッシュ３１，３２の裏面側の車幅方向外側端部には、上記凹所２５に対応する位置に、ネジ穴を形成したボス部３１ｅ，３２ｅが設けられている。このボス部３１ｅ，３２ｅは、図６（ａ）、（ｂ）に示すように、グリルガーニッシュ３１，３２の裏面側に突設した逆Ｌ字状の突起部３１ｆ，３２ｆの先に一体成形されている。グリルガーニッシュ３１，３２は、ラジエータグリル本体２に取付ネジ５を介して上記ボス部３１ｅ，３２ｅに固定されている。
【００１３】
上記グリルガーニッシュ３１，３２は、図２に示すように、端部差込部３１ａ，３２ａをエンブレム取付台座２３の側面２３ａに形成された開口穴２４に挿入して組付ける際に、係合爪３１ｃ，３２ｃが係合穴２２ａに、係合爪３１ｄ，３２ｄが係合穴２２ｂに入る位置に、係合爪３１ｃ，３２ｃおよび係合爪３１ｄ，３２ｄと、係合穴２２ａおよび係合穴２２ｂを形成している。
【００１４】
上記係合爪３１ｃ，３２ｃと係合穴２２ａを、係合爪３１ｄ，３２ｄと係合穴２２ｂを互いに係合して組付けた状態で、グリルガーニッシュ３１，３２をずらして、端部差込部３１ａ，３２ａをエンブレム取付台座２３の開口穴２４に差し込んだとき、係合爪３１ｃ，３２ｃおよび係合爪３１ｄ，３２ｄの位置が係合穴２２ａおよび係合穴２２ｂの中心位置よりラジエータグリル本体２のエンブレム取付台座２３側に位置するように係合爪３１ｃ，３２ｃおよび係合爪３１ｄ，３２ｄと、係合穴２２ａおよび係合穴２２ｂを形成している。
上記グリルガーニッシュ３１，３２の端部差込部３１ａ，３２ａをエンブレム取付台座２３の開口穴２４に差し込んだとき、係合爪３１ｃ，３２ｃと係合穴２２ａ、係合爪３１ｄ，３２ｄと係合穴２２ｂとの間隙ｉを最小限に設定している。最後に、エンブレム取付台座２３の表面には、図７に示すようにエンブレム６を接着する。ラジエータグリル１は、ラジエータグリル本体２上下端に設けられた爪部２７を介して車体７に組み付けられ（図３参照）、ネジ８を介して車体７に固定されている（図４参照）。
【００１５】
次に、上記グリルガーニッシュ３１，３２の組付け手順を説明する。
まず、左右のグリルガーニッシュ３１，３２のエンブレム取付台座２３側の端部差込部３１ａ，３２ａをエンブレム取付台座２３の側面２３ａに形成された開口穴２４に挿入する。次に、係合爪３１ｃ，３２ｃを係合穴２２ａに、係合爪３１ｄ，３２ｄを係合穴２２ｂに係合してグリルガーニッシュ３１，３２をラジエータグリル本体２に組付ける。
この際、ボスピン２３ｄにより、係合爪３１ｃ，３２ｃが係合穴２２ａ，２２ｂに係合しないで、グリルガーニッシュ３１，３２を挿入しても、奥に入り過ぎないようにした。
【００１６】
このとき、グリルガーニッシュ３１，３２は、係合爪３１ｃ，３２ｃを係合穴２２ａに、係合爪３１ｄ，３２ｄを係合穴２２ｂに係合して組付けた状態で、互いの中心位置が車幅方向にずれるように移動し、係合爪３１ｃ，３２ｃと係合穴２２ａ、係合爪３１ｄ，３２ｄと係合穴２２ｂとの間隙ｉが最小限になるようにずらしていく。こうして、グリルガーニッシュ３１，３２の裏面側のボス部３１ｅ，３２ｅが凹所２５に対応する位置にくると、ボス部３１ｅ，３２ｅが凹所２５に嵌まり、位置決めがなされる。そして、ラジエータグリル本体２の裏面から取付ネジ５を取付孔２６に挿通して、ボス部３１ｅ，３２ｅにねじ止めする。
【００１７】
上記構成によると、エンブレム取付台座２３の側面２３ａに開口穴２４を形成し、この開口穴２４にグリルガーニッシュ３１，３２の端部差込部３１ａ，３２ａを挿入して組付けるので、グリルガーニッシュ３１，３２のねじ止め箇所をグリルガーニッシュ３１，３２の外側端部のみにすることができることから、固定部分を削減することができる。また、エンブレム取付台座２３をラジエータグリル本体２に一体成形したので、部品の合せ部を無くすことができることから、外観の向上を図ることができる。さらに、グリルガーニッシュ３１，３２を小型化できることから、型の大きさを小型化することができるとともに、めっき作業を容易に行うことができる。またさらに、グリルガーニッシュ３１，３２の端部差込部３１ａ，３２ａの角部３１ｂ、３２ｂを滑らかに湾曲させて角部３１ｂ、３２ｂをＲ形状に形成している。
【００１８】
一方、エンブレム取付台座２３の開口穴２４の端部には、内面側に凸面２３ｃを形成しているので、グリルガーニッシュ３１，３２の端部差込部３１ａ，３２ａの角部３１ｂ、３２ｂをスムーズに挿入することができる。また、グリルガーニッシュ３１，３２は、係合爪３１ｃ，３２ｃを係合穴２２ａに、係合爪３１ｄ，３２ｄを係合穴２２ｂに係合して組付けた状態で、互いの中心位置が車幅方向にずれるように形成されているので、グリルガーニッシュ３１，３２の端部差込部３１ａ，３２ａをエンブレム取付台座２３の開口穴２４に差し込みながら、係合爪３１ｃ，３２ｃと係合穴２２ａ、係合爪３１ｄ，３２ｄと係合穴２２ｂを容易に、はめ合わすことができる。
【００１９】
なお、本発明は、上記の実施の形態のみに限定されるものではなく、たとえば、グリルガーニッシュ３１，３２は、エンブレム取付台座２３の両側で二分割にしたが、従来のような１本のグリルガーニッシュをエンブレム取付台座２３に挿通させて取り付けることもできる。この場合、グリルガーニッシュの中央の固定は省略して、両端部のみ、ねじ止めすればよい。
また、二分割する場合は、グリルガーニッシュ３１，３２の長さを、エンブレム取付台座２３の位置によっては、２対１の比率でも３対１の比率にもすることができる。
さらに、グリルガーニッシュ３１，３２のエンブレム取付台座２３側の端部差込部３１ａ，３２ａの長さも必要に応じて任意に設定することができる。またさらに、グリルガーニッシュ３１，３２には、それぞれ上部側に係合爪３１ｃ，３２ｃを２箇所ずつ、下部側に係合爪３１ｄ，３２ｄを１箇所ずつ設けたが、その数は任意に設定することができ、その幅も必要に応じて任意に設定することができる。
【００２０】
また、これに対応して、ラジエータグリル本体２の係合穴２２ａと係合穴２２ｂも任意に設定することができる。さらに、上記実施の形態では、エンブレム取付台座２３をラジエータグリル本体２に一体成形し、エンブレム自体は、後からエンブレム取付台座２３に装着する構造にしたが、エンブレム取付台座２３の表面に直接、エンブレムを成形する構成にすることもできる。等、その他、本発明の要旨を変更しない範囲内において適宜、変更して実施し得ることができることは言うまでもない。
【００２１】
【発明の効果】
以上述べたように、本発明によるグリルガーニッシュの取付構造によれば次のような効果を奏することができる。
請求項１において、車体前面に設けられるラジエータグリルに装着されるグリルガーニッシュの取付構造において、上記ラジエータグリルに凸面を形成し、該凸面の車幅方向の側面に、該凸面を貫通する開口穴を形成し、該開口穴にグリルガーニッシュを挿通支持させたので、グリルガーニッシュの固定箇所をグリルガーニッシュの両側の２箇所のみにすることができる。
請求項２において、上記グリルガーニッシュを上記凸面の両側で二分割し、これらグリルガーニッシュを上記凸面の両側の開口穴にそれぞれ一端部を差し込んで上記ラジエータグリルに装着したので、上記凸面側のグリルガーニッシュの端部の固定を省略することができる。
請求項３において、上記凸面をエンブレム台座として、上記ラジエータグリルに一体成形したので、エンブレム台座とラジエータグリルとの間隙がなくなり、外観の向上を図ることができる。
請求項４において、上記ラジエータグリルの凸面の開口穴の内側に、上記グリルガーニッシュの先端を係止するストッパー部を形成したので、グリルガーニッシュが開口穴の奥に入りすぎるのを防止することができる。
請求項５において、上記グリルガーニッシュの差込部の角部を滑らかに湾曲させて形成したので、開口穴への挿入をスムーズに行うことができる。
請求項６において、上記グリルガーニッシュの係合爪を、上記ラジエータグリルの係合穴に組付けた状態で該係合爪が係合穴に入り、上記各グリルガーニッシュの一端部を上記凸面の開口穴に差し込んだ状態で該係合爪の位置が係合穴の中心位置よりラジエータグリルの凸面側に位置するように上記係合爪と係合穴を形成したので、グリルガーニッシュをラジエータグリルの凸面の開口穴に差し込みながら係合爪を係合穴に容易に組付けることができる。また、グリルガーニッシュの係合爪を係合穴に組付けることによりグリルガーニッシュをねじ止めする前の仮の位置決めを行うことができる。
【図面の簡単な説明】
【図１】本発明によるグリルガーニッシュの取付構造の実施の形態を示す斜視図である。
【図２】図１のＡ−Ａ線拡大断面図である。
【図３】図１のＢ−Ｂ線拡大断面図である。
【図４】図１のＣ−Ｃ線拡大断面図である。
【図５】（ａ）は、図１のＤ−Ｄ線拡大断面図、（ｂ）は、図１のＥ−Ｅ線拡大断面図である。
【図６】（ａ）は、図１のＦ−Ｆ線拡大断面図、（ｂ）は、図１のＧ−Ｇ線拡大断面図である。
【図７】エンブレムを取り付けた状態を示す図３の部分断面図である。
【図８】従来のオーナメントの取付構造を示す斜視図である。
【図９】図８のＨ−Ｈ線断面図である。
【図１０】従来のグリルガーニッシュの取付構造を示す斜視図である。
【図１１】図１０のＩ−Ｉ線断面図である。
【符号の説明】
１　　ラジエータグリル
２　　ラジエータグリル本体
３、３１，３２　　グリルガーニッシュ
４　　凸面
５　　取付ネジ
６　　エンブレム
７　　　車体
８　　ネジ
２３　　エンブレム取付台座
２４　　開口穴
３１ａ，３２ａ　　端部差込部
３１ｂ、３２ｂ　　　　角部
３１ｃ，３２ｃ、３１ｄ，３２ｄ　　係合爪
２２ａ、２２ｂ　　係合穴
【図１】
2004058762.tif 000003
【図２】
2004058762.tif 000004
【図３】
2004058762.tif 000005
【図４】
2004058762.tif 000006
【図５】
2004058762.tif 000007
【図６】
2004058762.tif 000008
【図７】
2004058762.tif 000009
【図８】
2004058762.tif 000010
【図９】
2004058762.tif 000011
【図１０】
2004058762.tif 000012
【図１１】
2004058762.tif 000013